(57)【要約】【課題】シャーシと主軸及び副軸との間に生じるがたつきを軽減する光ディスク装置を提供することを目的とする。【解決手段】第１の軸受け部と第２の軸受け部とを備える光ピックアップ部と、光ピックアップ部を第１方向にスライドさせる駆動部と、駆動部側に配置され、光ピックアップ部を第１方向でスライド可能に第１の軸受け部と係合する主軸と、駆動部側とは反対側に配置され、光ピックアップ部を第１方向でスライド可能に第２の軸受け部と係合する副軸と、光ピックアップ部に固定され、副軸の斜め方向の１箇所で接する付勢部材と、を有する。【選択図】図４
2015125786.tif 000002
【特許請求の範囲】
【請求項１】
第１の軸受け部と第２の軸受け部とを備える光ピックアップ部と、
前記光ピックアップ部を第１方向にスライドさせる駆動部と、
前記駆動部側に配置され、前記光ピックアップ部を前記第１方向でスライド可能に前記第１の軸受け部と係合する主軸と、
前記駆動部側とは反対側に配置され、前記光ピックアップ部を前記第１方向でスライド可能に前記第２の軸受け部と係合する副軸と、
前記光ピックアップ部に固定され、前記副軸の斜め方向の１箇所で接する付勢部材と、を有する、ことを特徴とする光ディスク装置。
【請求項２】
前記付勢部材は、座面と、前記座面から斜め方向に延設する薄板部とを有し、
前記副軸は、前記座面および前記薄板部と２箇所で接している、ことを特徴とする請求項１に記載の光ディスク装置。
【請求項３】
前記付勢部材は、座面と、前記座面から斜め方向にそれぞれ延設する第１の薄板部と第２の薄板部と、を有し、
前記副軸は、前記第１の薄板部および前記第２の薄板部と対向する２箇所で接している、ことを特徴とする請求項１に記載の光ディスク装置。
【請求項４】
前記薄板部は、前記座面を基準角度とした場合に、前記座面から４５度以上の位置で前記副軸と接している、ことを特徴とする請求項２または請求項３のいずれか一項に記載の光ディスク装置。
【請求項５】
前記付勢部材は、前記副軸と点接触する突部を有する、ことを特徴とする請求項１から請求項４のいずれか一項に記載の光ディスク装置。
【発明の詳細な説明】
【技術分野】
【０００１】
本発明は、光ディスク装置に関する。
【背景技術】
【０００２】
従来、ＤＶＤ、ＢＤ（ブルーレイディスク：登録商標）等のメディアの情報を読み取ったり、メディアに対して情報を記録するために光ピックアップ装置が用いられる。この光ディスク装置では、メディアに記録された情報に追随するよう、第１方向（トラッキング方向）に移動する光ピックアップ部を有している。また、光ピックアップ部は、トラッキング方向にスライドさせる駆動力を同光ピックアップ部に伝達させるよう取付けられた駆動伝達部（ティース）と、トラッキング方向に伸びた主軸と副軸に対して光ピックアップ部をスライド可能に保持する主軸受け部と副軸受け部と、を有している（例えば、特許文献１、２参照。）。
【先行技術文献】
【特許文献】
【０００３】
【特許文献１】特開２００９−３９９０号公報
【特許文献２】特開２０１０−１６５３９６号公報
【発明の概要】
【発明が解決しようとする課題】
【０００４】
光ピックアップを構成するピックアップシャーシの精度が悪いと、主軸及び副軸と係合する部位との間でがたつきを生じさせる場合がある。ピックアップシャーシと主軸及び副軸との間に生じるがたつきは、光ピックアップに振動を生じさせ、フォーカスエラー及びトラッキングエラーを生じさせる場合があった。
【０００５】
本発明は、上記課題にかんがみてなされたもので、ピックアップシャーシと主軸及び副軸との間に生じるがたつきを軽減する光ディスク装置を提供することを目的とする。
【課題を解決するための手段】
【０００６】
上記課題を解決するために、本発明の一態様は、第１の軸受け部と第２の軸受け部とを備える光ピックアップ部と、前記光ピックアップ部を第１方向にスライドさせる駆動部と、
前記駆動部側に配置され、前記光ピックアップ部を前記第１方向でスライド可能に前記第１の軸受け部と係合する主軸と、前記駆動部側とは反対側に配置され、前記光ピックアップ部を前記第１方向でスライド可能に前記第２の軸受け部と係合する副軸と、前記光ピックアップ部に固定され、前記副軸の斜め方向の１箇所で接する付勢部材と、を有する。
【０００７】
上記のように構成された発明は、主軸および副軸で保持された状態で第１方向にスライドする光ピックアップ部には、付勢部材が取り付けられている。この付勢部材は、副軸の斜め方向の位置で接しており、第２方向に分力を発生する事で光ピックアップ部と主軸及び副軸との間に生じるがたつきを軽減することができる。
【０００８】
また、本発明の一態様では、前記付勢部材は、座面と、前記座面から斜め方向に延設する薄板部とを有し、前記副軸は、前記座面および前記薄板部と２箇所で接している。
上記のように構成された発明では、付勢部材は、副軸と２箇所で接するため、主軸及び副軸のがたつきを効果的に抑制することができる。
【０００９】
そして、本発明の一態様では、前記付勢部材は、座面と、前記座面から斜め方向にそれぞれ延設する第１の薄板部と第２の薄板部と、を有し、前記副軸は、前記第１の薄板部および前記第２の薄板部と対向する２箇所で接している。
上記のように構成された発明では、薄板部が副軸の斜め方向の２箇所で接するため、主軸及び副軸のがたつきを確実に抑制することができる。
【００１０】
さらに、本発明の一態様では、前記薄板部は、前記座面を基準角度とした場合に、前記座面から４５度以上の位置で前記副軸と接している。
【００１１】
また、本発明の一態様では、前記薄板部は、前記副軸と点接触する突部を有する。
上記のように構成された発明では、薄板部と副軸との接触面積を少なくすることで、光ピックアップ部のスライド時の抵抗を小さくすることができる。
【図面の簡単な説明】
【００１２】
【図１】光ディスク装置を示す斜視図。
【図２】シャーシ２０とドライブユニット１０とを分解した分解斜視図。
【図３】ピックアップシャーシ１２１の第２の軸受け部１２３側を拡大して示す図。
【図４】ガイドスプリング６０の構成を説明する斜視図。
【図５】ガイドスプリング６０と副軸１５との接触状態を拡大して示す断面図。
【図６】ガイドスプリング６０と副軸１５との接触状態を拡大して示す断面図。
【図７】ガイドスプリング６０と副軸１５との接触状態を拡大して示す断面図。
【発明を実施するための形態】
【００１３】
以下、下記の順序に従って本発明の実施形態を説明する。
１．第１の実施形態：
２．第２の実施形態：
３．第３の実施形態：
４．第４の実施形態：
【００１４】
１．第１の実施形態：
１．１．光ディスク装置の構成：
以下、本発明の一実施形態につき、図面に沿って具体的に説明する。
図１は、光ディスク装置を示す斜視図である。また、図２は、シャーシ２０とドライブユニット１０とを分解した分解斜視図である。
【００１５】
図１、図２に示すように、光ディスク装置１は、ドライブユニット１０と、シャーシ２０と、クランパ３０と、カムスライダー４０と、トレー５０と、を備える。光ディスク装置１では、まず、メディアがセットされたトレー５０をシャーシ２０に引き込むと、ドライブユニット１０のターンテーブル１１とクランパ３０とでメディアを保持する。そして、ドライブユニット１０がメディアの情報を読み取り、読み取った情報を図示しないケーブルを通じて出力する。
【００１６】
以下の説明では、シャーシ２０のトレー５０が引き出される側を「前方」、トレー５０が収容される側を「後方」とする。
【００１７】
また、図２に示すように、ドライブユニット１０は、ターンテーブル１１、光ピックアップ部１２、駆動部１３、主軸１４、副軸１５、を備える。ドライブユニット１０では、光ピックアップ部１２が、トラッキング方向にスライドしつつ、ターンテーブル１１上を回転するメディアに対して光を照射し、メディアからの反射光をもとに情報を読み取る。以下、ドライブユニット１０において、光ピックアップ部１２がスライドする方向を第１方向Ｄ１（トラッキング方向）と記載し、この第１方向Ｄ１に対して、交差する方向（幅方向）を第２方向Ｄ２とする。そして、光ピックアップ部１２の第３方向（フォーカス方向）を第３方向Ｄ３とする。
【００１８】
１．２．光ピックアップ部の構成：
光ピックアップ部１２は、ピックアップシャーシ１２１に、ティース１８とガイドスプリング６０（後術する図３）を取付けている。また、ピックアップシャーシ１２１の内部には、対物レンズ１６、図示しない、半導体レーザー、光学部品、さらには、反射光をもとにデジタル情報を生成する制御基板１７、を備えている。
【００１９】
ピックアップシャーシ１２１は、第２方向Ｄ２の両側に、主軸１４および副軸１５とそれぞれ係合する第１の軸受け部１２２、第２の軸受け部１２３を備えている。第１の軸受け部１２２は、第２方向Ｄ２で駆動部１３側に配置された主軸１４と係合している。また、第２の軸受け部１２３は、第２方向Ｄ２で駆動部１３側と反対方向に配置された副軸１５と係合している。第１の軸受け部１２２の断面形状は、真円形状の貫通孔である。また、第１の軸受け部１２２は、ピックアップシャーシ１２１の前後方向に２箇所形成されており、それぞれの第１の軸受け部１２２が、主軸と接している。そして、第２の軸受け部１２３の断面形状は、コの字形状である。また、第２の軸受け部１２３は、副軸と１点で接している。
第１の軸受け部１２２と第２の軸受け部１２３の形状は一例に過ぎず、第１の軸受け部１２２の断面形状をコ字形状とし、第２の軸受け部１２３の断面形状を真円形状の貫通孔としてもよい。この場合、駆動部１３は第２の軸受け部１２３側に取付けられている。
【００２０】
また、ピックアップシャーシ１２１は樹脂により構成されている。また、光ピックアップ１２の重さは、本案では２０〜３０グラムを想定している。但し、ピックアップシャーシ１２１の材料や光ピックアップ１２の重さは一例であり、この限りではない。
【００２１】
主軸１４、副軸１５は、第１方向Ｄ１に伸びた軸状部材である。主軸１４および副軸１５のそれぞれにピックアップシャーシ１２１の第１、２の軸受け部１２２、１２３が係合することで、光ピックアップ部１２を第１方向にスライド可能に保持する。
【００２２】
また、ドライブユニット１０には、ピックアップシャーシ１２１を第１方向Ｄ１にスライドさせる動力を与える駆動部１３が固定されている。図２では、駆動部１３は、スレッドモータ１３ａや、スクリュー１３ｂを備える。スクリュー１３ｂは、ピックアップシャーシ１２１に取付けられたティース１８と螺合しており、スレッドモータ１３ａの回転に伴ってスクリュー１３ｂが回転することで、ティース１８を介して、ピックアップシャーシ１２１を第１方向Ｄ１にスライドさせる動力を与える。即ち、スクリュー１３ｂが回転することで、ピックアップシャーシ１２１が主軸１４、副軸１５に保持されつつ、第１方向Ｄ１にスライドする。
【００２３】
図３は、ピックアップシャーシ１２１の第２の軸受け部１２３側を拡大して示す図である。図３に示すように、ピックアップシャーシ１２１には、副軸１５とのがたつきを抑制するためのガイドスプリング６０が取り付けられている。ガイドスプリング６０は、光ピックアップ部１２が第１方向Ｄ１にスライドする際、副軸下部の斜め方向の位置で接する。
【００２４】
図４は、本実施形態のガイドスプリング６０の構成を説明する斜視図である。図４では、便宜上、ガイドスプリング６０がピックアップシャーシ１２１に取り付けられた場合の方向（Ｄ１、Ｄ２、Ｄ３）を示している。
【００２５】
ガイドスプリング６０は、本体６１と、本体６１から斜め方向に延設するアーム６２と、アーム６２の先端に位置する座面６３と、座面６３の一端から斜め方向に延設する薄板部６４と、を備える。図４に示すガイドスプリング６０は、薄い板金を曲げ加工するなどして、各部６１〜６４と、を形成している。無論、ガイドスプリング６０の構成はこれに限定されない。
【００２６】
本体６１は、図示しないねじ穴が形成されており、ピックアップシャーシ１２１にねじ止めされる。本実施形態では、薄板部６４の向きがティース１２３の開口側に向くよう、本体６１はピックアップシャーシ１２１にねじ止めされる。また、ガイドスプリング６０の座面６３は、副軸１５下部に配置し、副軸１５とは接触しない。
【００２７】
座面６３は、一定の面を備えている。そして、薄板部６４は、座面６３の第２方向Ｄ２の端の一部を切り起こして斜め方向に延設させて形成されている。
【００２８】
図５は、ガイドスプリング６０と副軸１５との接触状態を拡大して示す断面図である。図５（ａ）は、ガイドスプリング６０と接する副軸１５を示す断面図である。また、５（ｂ）は、副軸１５と、第２の軸受け部１２３と、ガイドスプリング６０との関係を示す模式図である。図５（ａ）に示すように、ガイドスプリング６０の薄板部６４は、副軸１５の斜めの位置１５ａ（１箇所）で接している。薄板部６４の座面６３を基準とする角度θは、好ましくは４５度以上である。
【００２９】
図５（ｂ）に示すように、ガイドスプリング６０が副軸１５の斜めの位置１５ａで接することで、副軸１５の第２の軸受け部１２３の第３方向Ｄ３のがたつきを抑制する。また、副軸１５の第２方向Ｄ２に分力としてＦ１×cos（９０−θ）が与えられる事で、光ピックアップ全体に第２方向Ｄ２に分力が発生する。これにより、副軸１５と第２の軸受け部１２３の第３方向Ｄ３のがたつきを抑制すると共に、主軸１４と、第１の軸受け部１２２との第２方向Ｄ２のがたつきを抑制する事が出来る。
その結果、ピックアップシャーシ１２１の第１の軸受け部１２２や第２の軸受け部１２３の精度が悪い場合でも、ガイドスプリング６０により主軸１４及び副軸１５のがたつきを抑制することができる。また、副軸１５のがたつきを抑制することで、光ピックアップ部１２の第１方向Ｄ１（トラッキング方向）のスライドの際、メディアに対する追従性を高めることができる。その結果、光ピックアップ部１２のトラッキングエラー及びフォーカスエラーを抑制することができる。
【００３０】
２．第２の実施形態
この第２の実施形態では、ガイドスプリング６０が副軸１５の下部と斜め方向の部位の２箇所で接している構成が第１の実施形態と異なる。
【００３１】
図６は、ガイドスプリング６０と副軸１５との接触状態を拡大して示す断面図である。図６（ａ）は、ガイドスプリング６０と接する副軸１５を示す断面図である。また、６（ｂ）は、副軸１５と、第２の軸受け部１２３と、ガイドスプリング６０との関係を示す模式図である。図６（ａ）に示すように、座面６３は、第１方向Ｄ１に長手が伸びた副軸１５の下部１５ｂを受けている。また、薄板部６４は、副軸１５の斜めの位置１５ａと接している。
【００３２】
図６（ｂ）に示すように、ガイドスプリング６０が副軸１５の下部１５ｂと斜めの位置１５ａとの２点（２箇所）で接することで、副軸１５には力Ｆ１、Ｆ２が付与される。この力Ｆ１、Ｆ２により副軸１５を第２の軸受け部１２３の溝１２３ａ側に確実に押し付けることができる。またＦ１により、主軸１４と、第１の軸受け部１２２との第２方向Ｄ２のがたつきを抑制する事が出来る。その結果、ピックアップシャーシ１２１の第１の軸受け部１２２や第２の軸受け部１２３の精度が悪い場合でも、ガイドスプリング６０により主軸１４及び副軸１５のがたつきを効果的に抑制することができる。
【００３３】
３．第３の実施形態
この第３の実施形態では、ガイドスプリング６０の薄板部６４が、座面６３から２箇所で延設している構成が、他の実施形態と比べて異なる。
【００３４】
図７は、ガイドスプリング６０と副軸１５との接触状態を拡大して示す断面図である。図７に示すように、座面６３の第２方向Ｄ２のそれぞれの端からは、薄板部（第１の薄板部）６４、および薄板部（第２の薄板部）６５がそれぞれ斜め方向に延設している。例えば、薄板部６４、６５の座面６３を基準とする角度は、それぞれ４５度程度である。
【００３５】
この第２の実施形態では、ガイドスプリング６０は、薄板部６４、６５で、副軸１５の対向する斜めの位置１５ａ、１５ｃに接している。ガイドスプリング６０が副軸１５と、斜めの位置１５ａ、１５ｃの２箇所で接することで、副軸１５には、第２の軸受け部１２３の溝１２３ａ側に押し付ける力が付与される。
その結果、ピックアップシャーシ１２１の第１の軸受け部１２２や第２の軸受け部１２３の精度が悪い場合でも、ガイドスプリング６０が確実に主軸１４及び副軸１５をピックアップシャーシ１２１の第１の軸受け部１２２及び第２の軸受け部１２３に押し付けるため、主軸１４及び副軸１５のがたつきを抑制することができる。
【００３６】
４．第４の実施形態：
薄板部６４の中ほどに、突出する突部を備えていてもよい。一例として、突部は、第３方向Ｄ３に長手が形成されるよう薄板部６４を曲げ加工して形成されている。
そのため、ガイドスプリング６０を副軸１５に接触させると、突部の先端が副軸１５の斜めの位置と点接触する。薄板部６４が突部を有することで、薄板部６４と副軸１５との接触面積を少なくでき、光ピックアップ部１２の第１方向Ｄ１でのスライド時の抵抗を小さくすることができる。
【００３７】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００３８】
１…光ディスク装置、１０…ドライブユニット、１１…ターンテーブル、１２…光ピックアップ部、１３…駆動部、１３ａ…スレッドモータ、１３ｂ…スクリュー、１４…主軸、１５…副軸、１６…対物レンズ、１７…制御基板、１８…ティース、２０…シャーシ、３０…クランパ、４０…カムスライダー、５０…トレー、６０…ガイドスプリング、６１…本体、６２…アーム、６３…座面、６４…薄板部、６５…薄板部、１２１…ピックアップシャーシ、１２２…第１の軸受け部、１２３…第２の軸受け部、θ…薄板部６４の座面６３を基準とする角度
【図１】
2015125786.tif 000003
【図２】
2015125786.tif 000004
【図３】
2015125786.tif 000005
【図４】
2015125786.tif 000006
【図５】
2015125786.tif 000007
【図６】
2015125786.tif 000008
【図７】
2015125786.tif 000009